(57)【要約】      （修正有）【課題】絶縁スペーサに取り付けられた埋め込み導体と電圧変成要素とを接続する接続導体であって、接続導体を任意の角度に容易に固定することができる三相形ガスＶＴを提供する。【解決手段】埋め込み導体５ｃを備えた絶縁スペーサ５によって封止され絶縁ガスが充填された容器２に三相の電圧変成要素１が収納され、前記埋め込み導体と前記電圧変成要素が接続導体６によって接続された三相形ガス絶縁計器用変圧器において、前記接続導体が固定金具７によって任意の角度に固定される。【選択図】図１
2013065651.tif 000002
【特許請求の範囲】
【請求項１】
埋め込み導体を備えた絶縁スペーサによって封止され絶縁ガスが充填された容器に三相の電圧変成要素が収納され、前記埋め込み導体と前記電圧変成要素が接続導体によって接続された三相形ガス絶縁計器用変圧器において、前記接続導体が固定金具によって任意の角度に固定されることを特徴とする三相形ガス絶縁計器用変圧器。
【発明の詳細な説明】
【技術分野】
【０００１】
本発明は、変電所等の母線または線路に接続される三相形ガス絶縁計器用変圧器（以下、三相形ガスＶＴと記載する）に関するものである。
【背景技術】
【０００２】
三相形ガスＶＴは、矩形状の鉄心と鉄心の一つの脚部に巻回された一次コイル及び二次コイルとからなる電圧変成要素を容器内に収容して、容器にＳＦ６ガス等の絶縁媒体を封入した構造を有している。この種の三相形ガスＶＴは、通常ガス絶縁開閉装置（以下、ＧＩＳと記載する）に組み込まれて、母線や線路の電圧を変成し、計器や継電器に電圧を供給するために用いられている。
【０００３】
一般的にＧＩＳは管路を絶縁スペーサで区画し、区画された各管路内にＳＦ６ガス等の絶縁媒体が封入されている。管路を区画する絶縁スペーサはエポキシ樹脂等で形成され、アルミや銅などの埋め込み導体が取り付けられている。
【０００４】
絶縁スペーサが管路に取り付けられる際の絶縁スペーサの角度は、ＧＩＳの三相導体の配置に応じて適宜選択される。そして、三相形ガスＶＴの電圧変成要素と、絶縁スペーサに取り付けられた埋め込み導体とが接続導体によって接続される。
【０００５】
特許文献１には、三相形ガスＶＴの電圧変成要素である変圧器本体と、絶縁スペーサに取り付けられた貫通導体（埋め込み導体）とが、接続導体によって接続されていることが記載されている。
【先行技術文献】
【特許文献】
【０００６】
【特許文献１】特開平０８−２０３７５９号公報
【発明の概要】
【発明が解決しようとする課題】
【０００７】
ＧＩＳの管路に取り付けられる絶縁スペーサは、三相導体の配置に応じて種々の角度で取り付けられることになる。そのため、ＧＩＳの形態に応じた接続導体をそのつど設計・製作しなければならず、コストや時間がかかるといった問題があった。
【課題を解決するための手段】
【０００８】
上記課題を解決するため、本発明に係る三相形ガスＶＴは、埋め込み導体を備えた絶縁スペーサによって封止され絶縁ガスが充填された容器に三相の電圧変成要素が収納され、前記埋め込み導体と前記電圧変成要素が接続導体によって接続された三相形ガス絶縁計器用変圧器において、前記接続導体が固定金具によって任意の角度に固定されることを特徴とする。
【発明の効果】
【０００９】
本発明によれば、固定金具が取り付けられるボルトを緩めて接続導体を任意の角度に調整し、ボルトを締め付けて接続導体を固定できるようにしたので、接続導体の角度調整を容易に行うことができる。また、接続導体の取り付け角度が異なる場合でも、長さ寸法が同一であれば共通の接続導体を使用できる。そのため、接続導体の設計・製作を標準化することができるのでコスト低減や、設計・製作の時間短縮を図ることができる。
【図面の簡単な説明】
【００１０】
【図１】図１は本発明の一実施形態における内部構成を示す図であり、（ａ）は平面図、（ｂ）は正面図である。
【図２】図２は本発明の一実施形態における部分拡大図である。
【発明を実施するための形態】
【００１１】
以下、本発明の実施例について図１および図２を用いて説明する。
【００１２】
図１は本発明の一実施形態の三相形ガスＶＴにおける内部構成を示す図であり、（ａ）は平面図、（ｂ）は正面図である。図２は本発明の一実施形態における部分拡大図である。図１において、１は電圧変成要素、２は電圧変成要素１を収容する容器である。
【００１３】
容器２の内部には三相分の電圧変成要素１が収納されており、各相の電圧変成要素１は正三角形となるように配置されている。
【００１４】
容器２は、軸線方向の一端が開口した円筒状の容器本体３と、容器本体３の一端を封止するように取り付けられた蓋板４と他端に取り付けられた絶縁スペーサ５とからなっている。
【００１５】
容器本体３は金属からなっていて、円筒の胴部３ａと、胴部３ａの一端にテーパー部３ｂが取り付けられ、さらにテーパー部３ｂにはフランジ部３ｃが気密に取り付けられている。胴部３ａの他端には蓋板フランジ部３ｄが取付けられて構成されている。
【００１６】
容器本体の胴部３ａは、電圧変成要素１を取り囲む部分であり、胴部３ａの内面と電圧変成要素１との間に所定の間隙が形成されるように、胴部３ａの内径が設定されている。
【００１７】
絶縁スペーサ５は、絶縁樹脂からなる円錐状の本体５ａと、本体５ａの外周部に一体に形成されたフランジ部５ｂとからなっていて、本体５ａを貫通した状態で埋込み導体５ｃが三箇所設けられている。
【００１８】
絶縁スペーサ５は、そのフランジ部５ｂを容器本体３のフランジ部３ｃにボルト（図示せず）で締結することにより容器本体に取り付けられている。
【００１９】
絶縁スペーサ５のフランジ部５ｂと容器本体３のフランジ部３ｃとの間にはＯリング（図示せず）が配設され、Ｏリングにより、絶縁スペーサ５のフランジ部５ｂと容器本体３のフランジ部３ｃとの接続部の気密が図られて、容器本体３の他端が封止されている。
【００２０】
絶縁スペーサ５の埋め込み導体５ｃの一端側はＧＩＳの高圧回路（図示せず）に接続され、埋め込み導体５ｃの他端側には接続導体６が固定金具７によって取付けられている。
【００２１】
次に図２を用いて接続導体６について詳しく説明する。接続導体６は丸棒状の導体部６ａとその導体部よりも径の大きな固定部６ｂとで構成されている。本実施例では、導体部６ａは電圧変成要素１の位置に合わせて任意の形状に曲げて製作される。そして、固定部６ｂに固定金具７が嵌め合わされ、固定ボルト８によって埋め込み導体５ｃに接続導体６が取り付けられている。
【００２２】
このように構成することで、固定ボルト８を緩めることで接続導体６を自由に回転させて電圧変成要素１の位置に合わせることができる。そして、固定ボルト８を締め付けることで固定金具７が接続導体６を押さえて固定される。
【００２３】
なお、接続導体６は丸棒を曲げたもの以外に、ロストワックス製法を含む鋳造等の種々の加工方法によって製作されたものであっても良いのは言うまでも無い。固定金具７も同様に、切削やロストワックス製法を含む鋳造等の種々の加工方法によって製作される。
【符号の説明】
【００２４】
１    電圧変成要素
２    容器
３    容器本体
３ａ  胴部
３ｂ  テーパー部
３ｃ  フランジ部
３ｄ  蓋板フランジ
４    蓋板
５    絶縁スペーサ
５ａ  本体
５ｂ  フランジ部
５ｃ  埋め込み導体
６    接続導体
６ａ  導体部
６ｂ  固定部
７    固定金具
８    固定ボルト
【図１】
2013065651.tif 000003
【図２】
2013065651.tif 000004